【手続補正書】
【提出日】平成22年3月26日(2010.3.26)
【手続補正１】
【補正対象書類名】特許請求の範囲
【補正対象項目名】請求項１
【補正方法】変更
【補正の内容】
【請求項１】
キーストン型鋼製堰板の横手方向に沿って任意の間隔毎に形成され、キーストン型鋼製堰板の高さ方向に伸長する所定巾の折曲溝部と該折曲溝部の底面とキーストン型鋼製堰板の側面とに成型されて１乃至複数個配置するコンクリート余剰水の排出穴と型枠締付セパレーター用通し穴を兼用して成る拡張成型網目群から構成するキーストン型鋼製型枠用堰板。
【手続補正２】
【補正対象書類名】特許請求の範囲
【補正対象項目名】請求項２
【補正方法】変更
【補正の内容】
【請求項２】
キーストン型鋼製堰板の横手方向に沿って任意の間隔毎に形成され、キーストン型鋼製堰板の高さ方向に伸長する所定巾の折曲溝部、該折曲溝部の底面とキーストン型鋼製堰板の側面の中間部に配置され、キーストン型鋼製堰板の高さ方向に形成する所定巾の連結部及び該折曲溝部の底面とキーストン型鋼製堰板の側面において該連結部との間に成型されて１乃至複数個配置するコンクリート余剰水の排出穴と型枠締付セパレーター用通し穴を兼用して成る拡張成型網目群から構成するキーストン型鋼製型枠用堰板。
【手続補正３】
【補正対象書類名】明細書
【補正対象項目名】０００６
【補正方法】変更
【補正の内容】
【０００６】
本発明による第１のキーストン型鋼製型枠用堰板は、キーストン型鋼製堰板の横手方向に沿って任意の間隔毎に形成されて鋼製堰板の高さ方向に伸長する所定巾の折曲溝部と折曲溝部の底面とキーストン型鋼製堰板の側面とに成型されて１乃至複数個配置するコンクリート余剰水の排出穴と型枠締付セパレータ用通し穴とを兼用して成る拡張成型網目群から構成されている。
【手続補正４】
【補正対象書類名】明細書
【補正対象項目名】０００７
【補正方法】変更
【補正の内容】
【０００７】
本発明による第２のキーストン型鋼製型枠用堰板は、キーストン型鋼製堰板の横手方向に沿って任意の間隔毎に形成されてキーストン型鋼製堰板の高さ方向に伸長する所定巾の折曲溝部、折曲溝部の底面とキーストン型鋼製堰板の側面の中間部に配置され、キーストン型鋼製堰板の高さ方向に形成する所定巾の連結部及び折曲溝部の底面とキーストン型鋼製堰板の側面において該連結部との間に成型されて１乃至複数個配置するコンクリート余剰水の排出穴と型枠締付セパレータ用通し穴とを兼用して成る拡張成型網目群から構成されている。
【手続補正５】
【補正対象書類名】明細書
【補正対象項目名】００１０
【補正方法】変更
【補正の内容】
【００１０】
本発明による第１のキーストン型鋼製型枠用堰板の製造方法は、上記の第１、３のキーストン型鋼製型枠用堰板を製造するものであって、所定巾の薄鋼板を折曲装置に送出して所定の間隔毎に配列された折曲装置の折り曲げローラ群で長手方向に直交するキーストン形状に折り曲げて任意の間隔毎に所定巾の折曲溝部を形成している。
次いで、供給されるプレス装置においてキーストン型鋼製堰板の高さを構成するのに適した所定長のキーストン型鋼製堰板の側面を構成する非成形薄鋼板部分と所定幅の折曲溝部の底面とにコンクリート余剰水の排出穴と型枠締付セパレータ用通し穴とを兼用して成る拡張成型網目群を形成するための切れ目群を打ち抜いて行く。
しかる後に、切れ目群を打ち抜かれた中央位置の折曲溝部に対して折曲溝部の両側に形成される突出面を上下のローラで把持した後に、両側に配置している上下ローラ間の間隔を漸次拡大することで折曲溝部の切れ目群を拡張してコンクリート余剰水の排出穴と型枠締付セパレータ用通し穴とを兼用して成る拡張成型網目列を形成している。
さらに、中央位置の折曲溝部の外側に位置するキーストン型鋼製堰板の側面を構成している非成形薄鋼板部分に対しても、折曲溝部と同様に非成形薄鋼板の両側の突出面を上下のローラで把持した後にその間隔を漸次拡大することで非成形薄鋼板部分にコンクリート余剰水の排出穴と型枠締付セパレータ用通し穴とを兼用して成る拡張成型網目列を形成することを基本工程にしている。
又、以降の中央位置の折曲溝部の外側に位置している折曲溝部と非成形薄鋼板部分とに対しても、中央部の折曲溝部と非成形薄鋼板部分とに施したと同様の拡張成形を順次に繰り返すものであり、これによって、各折曲溝部の底面と鋼製堰板の側面を構成する非成形薄鋼板部分とにコンクリート余剰水の排出穴と型枠締付セパレータ用通し穴とを兼用して成る拡張成型網目列を成形する工程から構成されている。
本発明による第１のキーストン型鋼製型枠用堰板の製造方法は、以上のように所定幅の薄鋼板を鋼製堰板の高さを構成するのに適した所定長に切断することなく次工程に移行させることで、切断工程を省略して効率的かつ連続的にキーストン型鋼製型枠用堰板を製造して行くものであって、コンクリート余剰水の排出穴と型枠締付セパレータ用通し穴とを兼用して成る拡張成型網目群の出来上がっているキーストン型鋼製型枠用堰板を施工現場の要求に合わせて切断してから施工現場に供給するものである。
【手続補正６】
【補正対象書類名】明細書
【補正対象項目名】００１８
【補正方法】変更
【補正の内容】
【００１８】
本発明によるキーストン型鋼製型枠用堰板及びその製造方法は、独立基礎、小梁をも含む梁及び柱脚等のキーストン型鋼製堰板に形成した折曲溝部の底面と鋼製堰板の側面とに拡張して成形したコンクリート余剰水の排出穴と型枠締付セパレータ用通し穴とを兼用して成る拡張成型網目列を形成することによって、キーストン型鋼製型枠用堰板自体の構成を簡素にして重量の軽減を図り、キーストン型鋼製型枠用堰板の設置に際しても鋼製堰板を組み立てる時の設置方向の選択や型枠締付セパレータの配置位置の特定を不要にしてキーストン型鋼製型枠用堰板の取り扱いを容易にすると共に、キーストン型鋼製堰板からのコンクリートの流出を最小限に制限しながらコンクリート余剰水の排出の良好な型枠形状を保持するセパレータの使用本数を節減できて脱型も不用なことから作業能率も優れているので、キーストン型鋼製型枠用堰板作業の総合コストの低減を図ることのできる効果を奏している。
【手続補正７】
【補正対象書類名】明細書
【補正対象項目名】００２０
【補正方法】変更
【補正の内容】
【００２０】
本発明による第1、２及び第３のキーストン型鋼製型枠用堰板は、図１に示すように地
中梁の一部を示す実施例と図２に示す第３のキーストン型鋼製型枠用堰板の部分詳細図に示されているので、図１、２について説明する。
地中梁を構築するために配置されている鋼製型枠１は、図１に示すように前後のキーストン型鋼製型枠用堰板２、２を対峙させてコンクリート余剰水の排出穴と型枠締付セパレータ用通し穴とを兼用して成る拡張成型網目７に配置された所定数のセパレータ３で相互に保持することで構成されている。第1、２及び第３のキーストン型鋼製型枠用堰板２に
は、その横手（梁長）方向に沿って所定の間隔毎にキーストン型鋼製型枠用堰板２の高さ（梁成）方向に伸長する所定巾の折曲溝部４をキーストン型鋼製型枠用堰板２の側面５に形成している。
折曲溝部４の底面６とキーストン型鋼製型枠用堰板２の側面５とには、コンクリート余剰水の排出穴と型枠締付セパレータ用通し穴とを兼用して成る拡張成型網目７から成る４列の拡張成型網目列８がキーストン型鋼製型枠用堰板２の高さ方向に形成されており、拡張成型網目列８を構成している拡張成型網目７は、図２の部分詳細図が示すように、拡張成型網目７の上下を形成している平行枠部９、９と拡張成型網目７の左右を形成している垂直枠部１０、１０とから構成されている。
【手続補正８】
【補正対象書類名】明細書
【補正対象項目名】００２４
【補正方法】変更
【補正の内容】
【００２４】
従って、本発明による第1、２及び第３のキーストン型鋼製型枠用堰板は、折曲溝部４
の底面６とキーストン型鋼製型枠用堰板２の側面５とに１乃至複数個配列されている拡張成型網目列８におけるコンクリート余剰水の排出穴と型枠締付セパレータ用通し穴とを兼用して成る拡張成型網目７の内方空間の形成によって、キーストン型鋼製型枠用堰板２の自重を大幅に軽減し、キーストン型鋼製型枠用堰板２の設置方向を無制限にして取り扱いを容易にすると共に、鋼製型枠１の内面に打設されるコンクリートのキーストン型鋼製型枠用堰板２からの流出ノロ量を最小限に制限しながらもコンクリート余剰水の排出は効率良く実施するものであり、地中梁における構築効果を大幅に増強するものである。